(57)【要約】【課題】  サイズによらず蛇を腕金から落とすことができる蛇用忌避具を提供することを課題とする。【解決手段】  腕金に取り付けられる蛇用忌避具であって、板状であり且つ前記腕金を挿通可能な挿通孔が形成される回転体が前記腕金の長手方向で板面を対向させて隣り合うように複数個配置されることで構成される回転体群を備え、該回転体群は、前記回転体を配置する個数により前記腕金の長手方向に沿う長さを変更可能に構成され、前記回転体は、前記挿通孔から一端までの長さが前記挿通孔から該一端とは反対側の他端までの長さよりも大きくなるように構成されるとともに、それぞれ独立して前記腕金回りで回転可能である蛇用忌避具。【選択図】図５
2018023255.tif 000002
【特許請求の範囲】
【請求項１】
腕金に取り付けられる蛇用忌避具であって、板状であり且つ前記腕金を挿通可能な挿通孔が形成される回転体が前記腕金の長手方向で板面を対向させて隣り合うように複数個配置されることで構成される回転体群を備え、該回転体群は、前記回転体を配置する個数により前記腕金の長手方向に沿う長さを変更可能に構成され、前記回転体は、前記挿通孔から一端までの長さが前記挿通孔から該一端とは反対側の他端までの長さよりも大きくなるように構成されるとともに、それぞれ独立して前記腕金回りで回転可能である蛇用忌避具。
【請求項２】
前記回転体は、前記一端と前記他端との間に位置する側端を有し、前記挿通孔から該側端までの長さが前記挿通孔から前記一端までの長さよりも小さくなるように構成される請求項１に記載の蛇用忌避具。
【請求項３】
前記回転体は、前記挿通孔から前記他端までの長さが前記挿通孔から前記側端までの長さよりも小さくなるように構成される請求項２に記載の蛇用忌避具。
【請求項４】
前記回転体は、前記他端側の重量が前記一端側の重量よりも大きくなるように構成される請求項１乃至請求項３の何れか１項に記載の蛇用忌避具。
【発明の詳細な説明】
【技術分野】
【０００１】
本発明は、鉄塔や電柱に昇った蛇を落下させるための蛇用忌避具に関する。
【背景技術】
【０００２】
従来から、鉄塔や電柱に昇った蛇が腕金を伝って電線や電気設備等に接触し、地絡事故が起こることがあった。
【０００３】
このような事情に鑑み、鉄塔や電柱の腕金には、蛇を落下させる蛇用忌避具として蛇の昇り防止具（以下、防止具という）が設置されることがある。
【０００４】
かかる防止具は、筒状であり、腕金を構成する杆状資材（例えば、アングル材）を取り囲むように構成される筒状体を備えており、該筒状体は、杆状資材に対して回転可能に取り付けられるように構成されている。
【０００５】
前記防止具では、電柱や鉄塔に昇った蛇が筒状体に乗ると、該蛇の重みで筒状体が回転する。これに伴い、蛇が筒状体の上側から筒状体の下側へと移されるため、蛇が筒状体から剥がれ落ちる。このようにして、前記防止具は、電柱や鉄塔に昇った蛇を落とすことができるとされている（例えば、特許文献１参照）。
【先行技術文献】
【特許文献】
【０００６】
【特許文献１】特開２００１−３０９５３２号公報
【発明の概要】
【発明が解決しようとする課題】
【０００７】
ところで、腕金を伝う蛇の長さが筒状体の全長を超える場合、該蛇が筒状体を這って越えようとすることがある。そのため、前記防止具では、大型の蛇を腕金から落とすことができない場合があった。
【０００８】
また、筒状体は、全長を長くするに伴って重量が増加するため、小さな荷重では回転し難くなる。そのため、前記防止具は、筒状体の全長を長くすると（大型化すると）小型の蛇を腕金から落とすことができなくなることが懸念される。
【０００９】
このように、従来の防止具では、限られたサイズの蛇しか腕金から落とすことができないことが問題となっている。
【００１０】
そこで、本発明は、斯かる実情に鑑み、サイズによらず蛇を腕金から落とすことができる蛇用忌避具を提供することを課題とする。
【課題を解決するための手段】
【００１１】
本発明の蛇用忌避具は、腕金に取り付けられる蛇用忌避具であって、板状であり且つ前記腕金を挿通可能な挿通孔が形成される回転体が前記腕金の長手方向で板面を対向させて隣り合うように複数個配置されることで構成される回転体群を備え、該回転体群は、前記回転体を配置する個数により前記腕金の長手方向に沿う長さを変更可能に構成され、前記回転体は、前記挿通孔から一端までの長さが前記挿通孔から該一端とは反対側の他端までの長さよりも大きくなるように構成されるとともに、それぞれ独立して前記腕金回りで回転可能である。
【００１２】
上記構成の蛇用忌避具は、腕金に昇ると想定される蛇の最大体長に対応するよう、複数の回転体を腕金に取り付けて回転体群の長さを設定すると、回転体群の長さを超えるような体長の蛇は、回転体群上を這って超えようとする途中で自身の重みで回転体群を回転させてしまい、該回転体群から振り落とされる。
【００１３】
また、複数の回転体は、それぞれ独立して回転可能であるうえに、前記挿通孔から一端までの長さが前記挿通孔から該一端とは反対側の他端までの長さよりも大きくなるように構成されることでバランスが崩れ易くなっているため、回転体群の長さを超えないような体長の蛇は、自らの重みで複数の回転体のうちの何れかの回転体を回転させてしまい、該回転板から振り落とされる。
【００１４】
このように、前記蛇用忌避具は、回転体群の全長を長くしても、該回転体群を構成する各回転体を回転し易くしておくことができるため、回転体群の長さを超える体長の蛇や、回転体群の長さよりも短い体長の蛇を落下させることができる。
【００１５】
本発明の蛇用忌避具において、前記回転体は、前記一端と前記他端との間に位置する側端を有し、前記挿通孔から該側端までの長さが前記挿通孔から前記一端までの長さよりも小さくなるように構成されてもよい。
【００１６】
かかる構成によれば、回転体は、前記一端を腕金の上方に位置するように配置された状態における腕金からの幅方向での張出量が抑えられる。従って、回転体の側方を伝おうとする蛇を該回転体から滑落させることができる。
【００１７】
本発明の蛇用忌避具において、前記回転体は、前記挿通孔から前記他端までの長さが前記挿通孔から前記側端までの長さよりも小さくなるように構成されてもよい。
【００１８】
かかる構成によれば、前記一端を腕金の上方に位置するように配置された状態で蛇が前記一端に乗ったときに回転体のバランスが崩れ易くなるため、回転体から蛇が落ち易くなる。
【００１９】
本発明の蛇用忌避具において、前記回転体は、前記他端側の重量が前記一端側の重量よりも大きくなるように構成されていてもよい。
【００２０】
かかる構成によれば、回転体が回転して蛇を落とした後に、回転体の姿勢を自動的に復帰させることができる。
【発明の効果】
【００２１】
以上のように、本発明の蛇用忌避具によれば、サイズによらず蛇を腕金から落とすことができるという優れた効果を奏し得る。
【図面の簡単な説明】
【００２２】
【図１】図１は、本発明の一実施形態に係る蛇用忌避具の斜視図である。
【図２】図２は、同実施形態に係る蛇用忌避具の回転体の正面図である。
【図３】図３は、同実施形態に係る蛇用忌避具の回転板の正面図である。
【図４】図４は、同実施形態に係る蛇用忌避具の回転板の分解図である。
【図５】図５は、同実施形態に係る蛇用忌避具の説明図であって、（ａ）は、回転体の上側を蛇が通過し始めている状態の説明図であり、（ｂ）は、蛇が回転体から振り落とされた状態の説明図である。
【図６】図６は、同実施形態に係る蛇用忌避具の説明図であって、回転体の横側を通過しようとする蛇が落下している状態の説明図である。
【図７】図７は、本発明の他実施形態に係る蛇用忌避具の正面図である。
【図８】図８は、本発明の別の実施形態に係る蛇用忌避具の正面図である。
【図９】図９は、本発明のさらに別の実施形態に係る蛇用忌避具の正面図である。
【発明を実施するための形態】
【００２３】
以下、本発明の一実施形態にかかる蛇用忌避具について、添付図面を参照しつつ説明する。
【００２４】
本実施形態に係る蛇用忌避具は、図１に示すように、鉄塔や電柱の腕金に取り付けられて使用されるものである。なお、本実施形態では、鉄塔の腕金を構成する杆状資材（水平材）Ａに取り付けられることを前提に以下の説明を行うこととする。また、杆状資材Ａとは、長手方向の全長に亘って直角に屈曲したアングル材であり、屈曲位置を境とする一方側の部分と他方側の部分とをそれぞれ長辺部Ａ１と称する。
【００２５】
蛇用忌避具１は、図２に示すように、杆状資材Ａに固定される固定部２と、該固定部２に対して回転可能に取り付けられる回転連結部３と、該回転連結部３に固定される回転体４と、回転体４に取り付けられた錘部材５とを備えている。
【００２６】
固定部２は、杆状資材Ａに対して回転不能に取り付けられるように構成されている。本実施形態の固定部２には、一方の長辺部Ａ１に外嵌可能な嵌込凹部２０が形成されている。これにより、固定部２は、杆状資材Ａ（長辺部Ａ１）に掛止可能に構成されている。
【００２７】
回転連結部３は、固定部２につながり且つ杆状資材Ａを取り囲む円環状の内輪部３０と、該内輪部３０に外嵌され且つ内輪部３０に対して回転可能に取り付けられる外輪部３１とを備えている。
【００２８】
内輪部３０は、固定部２に対して回転不能に接続されている。本実施形態に係る内輪部３０は、円弧状の一対の内輪分割体３００を有する。一対の内輪分割体３００は、周方向における両端を互いに連結可能である。そのため、一対の内輪分割体３００は、それぞれの内周面の間に杆状資材Ａを介在させた状態で互いの両端が連結されることによって、杆状資材Ａを取り囲んだ状態となるように構成されている。
【００２９】
外輪部３１は、協働して内輪部３０の外周面を取り囲む一対の外輪分割体３１０を有する。一対の外輪分割体３１０は、内輪部３０（内輪分割体３００）の外周面に対向する湾曲対向面を有する。また、一対の外輪分割体３１０は、互いの湾曲対向面を周方向で連続させた状態で互いに連結可能である。
【００３０】
なお、外輪部３１は、内輪部３０に対して回転可能に構成されており、例えば、外輪部３１の湾曲対向面と内輪部３０の外周面との間にボールやコロ等の転動体を設けたり、外輪部３１の湾曲対向面と内輪部３０の外周面とが摺動するようにしたりして外輪部３１を内輪部３０に対して回転可能に構成すればよい。すなわち、回転連結部３は、いわゆる、転がり軸受やすべり軸受としてもよい。
【００３１】
本実施形態に係る一対の外輪分割体３１０は、円弧状に形成されており、周方向における両端を互いに連結可能である。そのため、一対の外輪分割体３１０は、それぞれの内周面（湾曲対向面）を外輪分割体３１０の外周面に対向させた状態で互いの両端が連結されることによって、外輪分割体３１０を取り囲んだ状態で取り付けられるように構成されている。
【００３２】
回転体４は、杆状資材Ａの長手方向で板面を対向させて隣り合うように複数個配置さている。そして、本実施形態では、複数の回転体４によって一つの回転体群６が構成されている。
【００３３】
複数の回転体４は、それぞれが杆状資材Ａ回りで独立回転可能となっている。また、本実施形態では、複数の回転体４のそれぞれに対して個別の固定部２、回転連結部３、錘部材５が取り付けられている。
【００３４】
回転体４は、板状である。また、回転体４には、図３に示すように、板状であり且つ杆状資材Ａを挿通する挿通孔４０が形成されている。
【００３５】
本実施形態に係る回転体４は、挿通孔４０の上方に位置する長軸上部４１と、前記挿通孔４０の下方に位置する長軸下部４２と、幅方向において長軸上部４１と長軸下部４２の両側に位置する一対の短軸部４３と、を有する。
【００３６】
長軸上部４１は、回転体４の外周端の一部を構成する上端４１０を有する。本実施形態では、長軸上部４１の上端４１０が回転体４の一端（上端）を構成している。
【００３７】
長軸下部４２は、回転体４の外周端の一部を構成する下端４２０を有する。本実施形態では、長軸下部４２の下端４２０が回転体４の一端とは反対側の他端（下端）を構成している。そのため、長軸上部４１の上端４１０と長軸下部４２の下端４２０とは、一方向（上下方向）において互いに相反する位置に配置されている。
【００３８】
長軸上部４１の縦方向（上下方向に対応する方向）における寸法（挿通孔４０から長軸上部４１の上端４１０までの寸法）Ｌ１は、長軸下部４２の該縦方向における寸法（挿通孔４０から長軸下部４２の下端４２０までの寸法）Ｌ２よりも長くなっている。
【００３９】
一対の短軸部４３は、回転体４の外周端の一部を構成する側端４３０を有する。本実施形態では、短軸部４３の側端４３０が、幅方向（縦方向に直交する方向）における回転体４の側端であって、回転体４の上端と下端とに連続する側端を構成している。
【００４０】
短軸部４３の側端４３０は、幅方向において、外方に向かって緩やかに膨らむようにして湾曲している。これにより、一対の短軸部４３は、幅方向における長軸上部４１及び長軸下部４２からの張出量が抑えられている。
【００４１】
短軸部４３の幅方向における寸法Ｌ３は、長軸上部４１の縦方向における寸法Ｌ１よりも短くなっている。
【００４２】
本実施形態に係る回転体４は、正面視において楕円状をなすように形成されており、図４に示すように、幅方向中央で二分割されている。そのため、回転体４は、互いに組み合わされる一対の平板部４４を有する。
【００４３】
一対の平板部４４は、外輪部３１を嵌め込むための嵌込部４５と、嵌込部４５の上方に位置する上部当接部４６と、嵌込部４５の下方に位置する下部当接部４７と、上部当接部４６及び下部当接部４７の外側に位置する張出部４８とを有する。
【００４４】
嵌込部４５は、外輪部３１の外周面に沿って湾曲する湾曲面４５０を有する。そして、回転板４では、一対の平板部４４を互いに連結した状態で、各平板部４４の湾曲面４５０によって挿通孔４０が画定されるように構成されている。
【００４５】
上部当接部４６は、湾曲面４５０の周方向における一端から上方に向かって真っ直ぐに延びる上側当接面４６０を有する。各上部当接部４６の上側当接面４６０は、互いに当接するように構成されている。なお、本実施形態では、長軸上部４１が一対の上部当接部４６によって構成されている。
【００４６】
下部当接部４７は、湾曲面４５０の周方向における他端から下方に向かって真っ直ぐに延びる下側当接面４７０を有する。各下部当接部４７の下側当接面４７０は、互いに当接するように構成されている。なお、本実施形態では、長軸下部４２が一対の下部当接部４７によって構成されている。
【００４７】
各平板部４４の張出部４８は、短軸部４３のことである。
【００４８】
錘部材５は、回転体４の挿通孔４０の下方側に取り付けられている。なお、本実施形態では、一つの回転体４に対して二つの錘部材５が取り付けられており、一方の錘部材５は、一方の平板部４４の嵌込部４５の下方側に取り付けられ、他方の錘部材５は、他方の平板部４４の嵌込部４５の下方側に取り付けられている。このように、各平板部４４には、個別の錘部材５が取り付けられている。
【００４９】
本実施形態に係る蛇用忌避具１の構成は、以上の通りの構成である。続いて、本実施形態に係る蛇用忌避具１の取り付け方と蛇の落とし方について、添付図面を参照しつつ説明する。
【００５０】
蛇用忌避具１を杆状資材Ａに取り付けるには、図２に示すように、固定部２を杆状資材Ａの長辺部Ａ１に引っ掛ける。そして、杆状資材Ａを取り囲むようにして配置した一対の内輪分割体３００を互いに連結し、さらに、内輪部３０を固定部２に固定する。
【００５１】
なお、内輪部３０と固定部２とが一体的に連結されている場合は、固定部２を杆状資材Ａの長辺部Ａ１に引っ掛けつつ、一対の内輪分割体３００を杆状資材Ａの周りに配置した後に、一対の内輪分割体３００を互いに連結すればよい。
【００５２】
続いて、外輪部３１を内輪部３０に取り付ける。本実施形態では、外輪分割体３１０の湾曲対向面と内輪部３０の外周面とを対向させた状態で一対の外輪分割体３１０を互いに連結することで、外輪部３１を内輪部３０に取り付ける。
【００５３】
そして、外輪部３１に回転体４を取り付ける。本実施形態では、平板部４４の湾曲面４５０を外輪分割体３１０の外周面に当接させるとともに、一対の平板部４４の上部当接部４６を互いに当接させ、さらに、一対の平板部４４の下部当接部４７を互いに当接させる。そして、各平板部４４を外輪部３１に固定する。
【００５４】
これにより、蛇用忌避具１は、挿通孔４０の中心を回転中心として、回転体４が杆状資材Ａ周りで回転可能となる。
【００５５】
以上の手順を繰り返して、複数の回転体４を杆状資材Ａの長手方向に沿って並べて（隣接させて）設置することで、回転体群６を構成する。また、杆状資材Ａ金に昇ると想定される蛇の最大体長に対応するよう、杆状資材Ａに取り付ける回転体４の個数を調整して回転体群６の長さを設定する。
【００５６】
そして、回転体群６の全長を所望の長さにすることで、蛇用忌避具１の杆状資材Ａへの取付作業が完了する。
【００５７】
杆状資材Ａに取り付けられた蛇用忌避具１では、図５（ａ）に示すように、鉄塔に昇った蛇が杆状資材Ａを伝って長軸上部４１の上端４１０に乗ると、蛇の荷重により回転体４に回転力が生じる。これにより、図５（ｂ）に示すように、回転体４が回転するため、蛇が回転体４から振り落とされるか、若しくは回転体４から剥がれ落ちる。
【００５８】
また、蛇用忌避具１は、上述のように、一対の短軸部４３は、幅方向における長軸上部４１及び長軸下部４２からの張出量が抑えられるように構成されているため、図６に示すように、短軸部４３の側端４３０を伝って杆状資材Ａの先端側に進もうとすると、該蛇が回転体４から滑落する。
【００５９】
以上のように、蛇用忌避具１は、杆状資材Ａに昇ると想定される蛇の最大体長に対応するよう、複数の回転体４を取り付けて回転体群６の長さを設定することができるため、回転体群６の長さを超えるような体長の蛇（大型の蛇）は、回転体群６上を這って超えようとする途中で自身の重みで回転体群６を回転させてしまい、該回転体群６から振り落とされる。
【００６０】
また、複数の回転体４は、それぞれ独立して回転可能であるうえに、長軸上部４１の寸法Ｌ１を長軸下部４２の寸法Ｌ２よりも長くすることでバランスが崩れ易くなっているため、回転体群６の長さを超えないような蛇（小型の蛇）は、自らの重みで複数の回転体４のうちの何れかの回転体４を回転させてしまい、該回転板４から振り落とされる。
【００６１】
このように、蛇用忌避具１は、回転体群６の全長を長くしても、該回転体群６を構成する各回転体４を回転し易くしておくことができるため、回転体群６の長さを超える体長の蛇や、回転体群６の長さよりも短い体長の蛇を落下させることができる。従って、蛇用忌避具１は、サイズによらず蛇を杆状資材Ａから落下させることができるという優れた効果を奏し得る。
【００６２】
また、回転板４では、短軸部４３の幅方向における寸法Ｌ３が長軸上部４１の縦方向における寸法Ｌ１よりも短くなっているため、幅方向における回転体４の杆状資材Ａからの張出量が抑えられる。従って、回転体４の側方を伝おうとする蛇を該回転体４から滑落させることができる。これに伴い、蛇用忌避具１は、蛇が回転体４の上部に乗るように仕向けることもできる。
【００６３】
そして、回転体４では、短軸部４３の側端４３０が幅方向において、外方に向かって緩やかに膨らむようにして湾曲した形状となっているため、回転体４の側端４３０を伝って杆状資材Ａの先端側に進もうとする蛇が回転体４から滑落し易くなる。
【００６４】
さらに、回転体４では、長軸上部４１の縦方向における寸法Ｌ１が長軸下部４２の縦方向における寸法Ｌ２よりも長くなっているため、長軸上部４１の上端４１０部が長軸下部４２の下端４２０部よりも回転中心となる挿通孔４０から離れた位置に配置されている。
【００６５】
そのため、杆状資材Ａを伝う蛇が回転体４の上部（すなわち、長軸上部４１の上端４１０部）に乗った際に、蛇の荷重により回転体４に大きな回転力を発生させることができる。従って、前記蛇用忌避具１は、回転体４が蛇を振り落とす勢いを付け易くなる。
【００６６】
また、回転体４では、長軸上部４１の寸法Ｌ１を、長軸下部４２の寸法Ｌ２及び短軸部４３の寸法Ｌ３よりも長くなるように設定することによって、杆状資材Ａの上方に位置する長軸上部４１の上端４１０を杆状資材Ａから遠ざけるようにしており、これにより、蛇が回転体４の上部に乗った際に、回転体４の姿勢が崩れ易くなる（回転し易くなる）ようにしている。
【００６７】
さらに、回転体４は、長軸下部４２には、錘部材５が取り付けられているため、長軸下部４２側の重量が長軸上部４１側の重量よりも大きくなっている。そのため、回転体４は、回転して蛇を落とした後に、自動的に元の姿勢に復帰することができる。
【００６８】
なお、本発明の蛇用忌避具は、上記一実施形態に限定されるものではなく、本発明の要旨を逸脱しない範囲において種々変更を行うことは勿論である。
【００６９】
上記実施形態では、蛇用忌避具１を取り付ける対象を鉄塔の腕金としていたが、蛇用忌避具１を取り付ける対象は、例えば、電柱の腕金であってもよい。
【００７０】
また、上記実施形態では、蛇用忌避具１を取り付ける対象を鉄塔の腕金を構成する水平材としていたが、蛇用忌避具１を取り付ける対象は、例えば、鉄塔の腕金を構成する斜材であってもよい。また、蛇用忌避具１を取り付ける対象とする杆状資材Ａは、アングル材ではなく、丸筒や、角筒等であってもよい。
【００７１】
上記実施形態において、固定部２は、杆状資材Ａに掛止可能に構成されていたが、この構成に限定されない。例えば、固定部２は、杆状資材Ａを挟持可能な構成であってもよい。また、固定部２は、アングル材ではなく、丸パイプや、角パイプ等の資材に取り付けられるように構成されていてもよい。
【００７２】
上記実施形態において、内輪部３０は、一対の内輪分割体３００を備えていたが、三つ以上の内輪分割体３００を備えるように構成されていてもよい。このように、内輪部３０は、複数の内輪分割体３００を備えるものであり、周方向において二つに分割されていてもよいし、三つ以上に分割されていてもよい。
【００７３】
上記実施形態において、外輪部３１は、一対の外輪分割体３１０を備えていたが、三つ以上の外輪分割体３１０を備えるように構成されていてもよい。このように、外輪部３１は、複数の外輪分割体３１０を備えるものであり、周方向において二つに分割されていてもよいし、三つ以上に分割されていてもよい。
【００７４】
なお、上記実施形態において、回転体４には錘部材５が取り付けられていたが、この構成に限定されない。回転体４は、挿通孔４０の下方側が挿通孔４０の上方側よりも重くなるように構成されていればよく、例えば、挿通孔４０の下方側と挿通孔４０の上方側とを異なる材質で構成することによって、挿通孔４０の下方側が挿通孔４０の上方側よりも重くなるように構成されていてもよい。
【００７５】
上記実施形態の蛇用忌避具１では、複数の回転体４のそれぞれに対して個別の固定部２が取り付けられていたが、一つの固定部２によって複数の回転体４を一括して杆状資材Ａに取り付けるようにしてもよい。
【００７６】
上記実施形態の蛇用忌避具１では、複数の回転体４のそれぞれに対して個別の回転連結部３が取り付けられていたが、一つの回転連結部３によって各回転体４を独立回転できるように構成してもよい。
【００７７】
上記実施形態において、回転体４は、正面視において、楕円形状となるように構成されていたが、この構成に限定されない。例えば、回転体４は、図７に示すように、正面視において長方形状となるように構成されていてもよい。この場合、短軸部４３の側端４３０が縦方向（上下）に真っ直ぐに延びた形状となるため、回転体４の側端４３０を伝って杆状資材Ａの先端側に進もうとする蛇を回転体４から滑落させることができる。
【００７８】
また、回転体４は、図８に示すように、正面視において三角形状となるように構成されるとともに、頂点が挿通孔４０の上方に配置されるように構成されていてもよいし、図９に示すように、正面視において三角形状となるように構成されるとともに、頂点が挿通孔４０の下方に配置されるように構成されていてもよい。
【００７９】
このように、短軸部４３の側端４３０は、幅方向において互いに相反する方向に膨らむように湾曲する形状の他、上方から下方に向かうにつれて徐々に離間するように傾斜した形状や、上方から下方に向かうにつれて徐々に接近するように傾斜した形状が採用されていてもよい。
【符号の説明】
【００８０】
１…蛇用忌避具、２…固定部、３…回転連結部、４…回転体、５…錘部材、２０…嵌込凹部、３０…内輪部、３１…外輪部、４０…挿通孔、４１…長軸上部、４２…長軸下部、４３…短軸部、４４…平板部、４５…嵌込部、４６…上部当接部、４７…下部当接部、４８…張出部、３００…内輪分割体、３１０…外輪分割体、４１０…上端、４２０…下端、４３０…側端、４５０…湾曲面、４５１…取付凹部、４６０…上側当接面、４７０…下側当接面、Ａ…杆状資材、Ａ１…長辺部
【図１】
2018023255.tif 000003
【図２】
2018023255.tif 000004
【図３】
2018023255.tif 000005
【図４】
2018023255.tif 000006
【図５】
2018023255.tif 000007
【図６】
2018023255.tif 000008
【図７】
2018023255.tif 000009
【図８】
2018023255.tif 000010
【図９】
2018023255.tif 000011